(57)【要約】      （修正有）【課題】着席、離席時などで回線交換装置の制御内容を変える。【解決手段】回線交換装置２が理解できるコマンド群と当該タイミング情報の組を送信予約部１６に与える。送信予約部１６の書き込み部１６２は、与えられた組を送信予約部１６の記憶部１６１に書き込む。送信予約部１６の読み出し部１６３は、送信予約部１６の記憶部１６１から、書き込み部１６２が書き込んだ組（タイミング情報とコマンド群）を読み出し、送信予約部１６の判定部１６４は、当該タイミング情報が示す送信タイミングが到来したか否かを判定し、当該タイミング情報が示す送信タイミングが到来したと判定したときは、当該コマンド群を送信部１７に与える。送信部１７は、送信予約部１６からコマンドを与えられたときは、当該コマンド群を回線交換装置２に送信する。【選択図】図１
2006100943.tif 000002
【特許請求の範囲】
【請求項１】
回線交換装置に通信回線を介して接続された通話端末を示す通話端末識別情報とともに当該回線交換装置に送信されたときから当該回線交換装置による当該通話端末についての制御に使用される制御情報を当該回線交換装置に送信する制御情報送信装置であって、
前記回線交換装置に制御される通話端末を示す通話端末識別情報と当該通話端末についての制御に使用される制御情報と該制御情報の送信タイミングを示す送信タイミング情報とを取得する情報取得手段と、
当該取得された通話端末識別情報と制御情報と送信タイミング情報とが対応づけて書き込まれる記憶手段、当該取得された通話端末識別情報と制御情報と送信タイミング情報とを対応づけて前記記憶手段に書き込む書き込み手段、当該書き込まれた通話端末識別情報と制御情報と送信タイミング情報を読み出す読み出し手段、および当該読み出された送信タイミング情報が示す送信タイミングが到来したか否かを判定する判定手段を備える送信予約手段と、
当該送信タイミングが到来したと判定されたときに、前記記憶手段から読み出された通話端末識別情報と制御情報を前記回線交換装置に送信する送信手段と
を備えることを特徴とする制御情報送信装置。
【請求項２】
通話端末に１以上の通信回線が接続され、前記回線交換装置が通話端末と通信回線の組ごとに制御を行うときに、前記通話端末識別情報に対し、該通話端末識別情報が示す通話端末に接続された１つの通信回線を示す通信回線識別情報を付随させるように構成されたことを特徴とする請求項１記載の制御情報送信装置。
【請求項３】
前記情報取得手段は、前記回線交換装置に制御される通話端末を用いるユーザが参加するイベントの開始タイミングを示す開始タイミング情報ならびに終了タイミングを示す終了タイミング情報が記憶されているときに当該開始タイミング情報と終了タイミング情報とを前記送信タイミング情報として読み出して取得することを特徴とする請求項１または２記載の制御情報送信装置。
【請求項４】
前記情報取得手段は、前記終了タイミングに送信される制御情報として予め記憶されたものを読み出して取得することを特徴とする請求項３記載の制御情報送信装置。
【請求項５】
前記情報取得手段は、前記送信タイミングに送信される制御情報として予め記憶された複数の制御情報を読み出して表示させ、該表示されたものの中から選択されたものを取得することを特徴とする請求項１記載の制御情報送信装置。
【請求項６】
前記情報取得手段は、前記通話端末識別情報と制御情報と送信タイミング情報を、グループに属する複数のユーザに使用される複数の通話端末について取得することを特徴とする請求項１ないし５のいずれかに記載の制御情報送信装置。
【請求項７】
前記取得された通話端末識別情報と制御情報を前記回線交換装置が理解できるコマンド群に変換するコマンド生成手段を備えたことを特徴とする請求項１ないし６のいずれかに記載の制御情報送信装置。
【請求項８】
前記情報取得手段は、前記制御情報として、送信タイミング以降において通話端末を鳴動させるか否かを示す鳴動要否情報、送信タイミング以降において鳴動音の種類を変えたいときの変更後の鳴動音を示す鳴動音番号、送信タイミング以降における回線交換装置の制御内容を通話端末に設けられた表示部に表示させるか否かを示す表示要否情報、送信タイミング以降において留守メッセージを送出するか否かを示す留守メッセージ送出要否情報、送信タイミング以降において留守メッセージを送出する場合の留守メッセージの種類を変えたいときの変更後の留守メッセージを示すメッセージ番号、送信タイミング以降において相手の音声を録音するか否かを示す録音要否情報、送信タイミング以降において呼を転送するか否かを示す転送要否情報、送信タイミング以降において相手の音声が録音されたことを他の通話端末に通知するか否かを示す通知要否情報、送信タイミング以降における通知先の端末識別情報と転送先の端末識別情報の一方または両方である端末識別情報の中の１以上を取得することを特徴とする請求項１ないし７のいずれかに記載の制御情報送信装置。
【請求項９】
請求項１ないし８のいずれかに記載の制御情報送信装置と回線交換装置とを備えたことを特徴とする回線交換システム。
【請求項１０】
請求項９記載の回線交換システムにおいて、前記回線交換装置は、通話端末に表示される映像を記憶する映像記憶手段を備えるとともに、前記制御情報送信装置からの制御情報により前記映像が通話端末に表示されるように構成されたことを特徴とする回線交換システム。
【請求項１１】
請求項９または１０記載の回線交換システムにおいて、前記回線交換装置に制御される通話端末を使用するユーザが参加するイベントのイベント名と、当該イベントの終了タイミングを示すイベント終了タイミング情報とを用いて、当該通話端末への留守メッセージを生成するように構成されたことを特徴とする回線交換システム。
【請求項１２】
請求項１ないし８のいずれかに記載の制御情報送信装置としてコンピュータを機能させることを特徴とするコンピュータプログラム。
【請求項１３】
請求項１２記載のコンピュータプログラムを記録した記録媒体。
【発明の詳細な説明】
【技術分野】
【０００１】
本発明は、回線交換装置に送信されたときから使用される制御情報を所望のタイミングで回線交換装置に送信できる制御情報送信装置、該装置と当該回線交換装置とを備える回線交換システム、当該制御情報送信装置としてコンピュータを機能させるコンピュータプログラムおよび該プログラムを記録した記録媒体に関する。
【背景技術】
【０００２】
構内交換機などの回線交換装置は、回線交換を行う回線交換部と、回線交換用の制御情報を回線交換部に与えるとともに他の制御用の制御情報を用いて回線交換以外の制御を行う制御部とを備え、このような制御情報を回線交換装置が受信して設定すると、それ以降は、当該制御情報による制御が行われる。例えば、回線交換部は発着信だけでなく転送といった制御を行い、制御部は留守メッセージを送出する、あるいは端末の鳴動音を変えるといった制御を行う。
【特許文献１】特開２０００−１０１７１８号公報
【発明の開示】
【発明が解決しようとする課題】
【０００３】
また、上記回線交換装置が使用される職場環境などにおいては、例えば、着席しているときと会議などで離席しているときとで回線交換装置の制御内容を変えたい場合がある。具体的には、着席しているときは端末を鳴動させ、会議など離席しているときは会議室に転送させるという制御が行われれば大変便利である。
【０００４】
しかしながら、上記のように、制御内容を変えたい場合は、会議の参加者などが、回線交換装置を管理する管理者に設定変更を依頼し、この管理者が、会議などの開始時刻などにあわせて、制御情報を逐一回線交換装置に送信し設定する必要があり、そのため大変不便であった。
【０００５】
本発明は、上記の課題に鑑みてなされたものであり、その目的とするところは、回線交換装置に送信されたときから使用される制御情報を所望のタイミングで回線交換装置に送信できる制御情報送信装置、該装置と当該回線交換装置とを備える回線交換システム、当該制御情報送信装置としてコンピュータを機能させるコンピュータプログラムおよび該プログラムを記録した記録媒体を提供することにある。
【課題を解決するための手段】
【０００６】
上記の課題を解決するために、請求項１の本発明は、回線交換装置に通信回線を介して接続された通話端末を示す通話端末識別情報とともに当該回線交換装置に送信されたときから当該回線交換装置による当該通話端末についての制御に使用される制御情報を当該回線交換装置に送信する制御情報送信装置であって、前記回線交換装置に制御される通話端末を示す通話端末識別情報と当該通話端末についての制御に使用される制御情報と該制御情報の送信タイミングを示す送信タイミング情報とを取得する情報取得手段と、当該取得された通話端末識別情報と制御情報と送信タイミング情報とが対応づけて書き込まれる記憶手段、当該取得された通話端末識別情報と制御情報と送信タイミング情報とを対応づけて前記記憶手段に書き込む書き込み手段、当該書き込まれた通話端末識別情報と制御情報と送信タイミング情報を読み出す読み出し手段、および当該読み出された送信タイミング情報が示す送信タイミングが到来したか否かを判定する判定手段を備える送信予約手段と、当該送信タイミングが到来したと判定されたときに、前記記憶手段から読み出された通話端末識別情報と制御情報を前記回線交換装置に送信する送信手段とを備えることを特徴とする制御情報送信装置である。
【０００７】
請求項１の本発明によれば、回線交換装置に制御される通話端末を示す通話端末識別情報と当該通話端末についての制御に使用される制御情報と該制御情報の送信タイミングを示す送信タイミング情報とを取得する情報取得手段と、当該取得された通話端末識別情報と制御情報と送信タイミング情報とが対応づけて書き込まれる記憶手段、当該取得された通話端末識別情報と制御情報と送信タイミング情報とを対応づけて記憶手段に書き込む書き込み手段、当該書き込まれた通話端末識別情報と制御情報と送信タイミング情報を読み出す読み出し手段、および当該読み出された送信タイミング情報が示す送信タイミングが到来したか否かを判定する判定手段を備える送信予約手段と、当該送信タイミングが到来したと判定されたときに、記憶手段から読み出された通話端末識別情報と制御情報を回線交換装置に送信する送信手段とを備えたので、送信タイミングが到来したときに、回線交換装置に、通話端末識別情報と制御情報が送信されるので、通話端末について回線交換装置が行う制御の内容を所望のタイミングを境に変えることができる。
【０００８】
請求項２の本発明は、通話端末に１以上の通信回線が接続され、前記回線交換装置が通話端末と通信回線の組ごとに制御を行うときに、前記通話端末識別情報に対し、該通話端末識別情報が示す通話端末に接続された１つの通信回線を示す通信回線識別情報を付随させるように構成されたことを特徴とする請求項１記載の制御情報送信装置である。
【０００９】
請求項２の本発明によれば、送信タイミングが到来したときに、回線交換装置に、通話端末識別情報と通信回線識別情報と制御情報が送信されるので、回線交換装置が通話端末と通信回線の組ごとに行う制御の内容を所望のタイミングを境に変えることができる。
【００１０】
請求項３の本発明は、前記情報取得手段は、前記回線交換装置に制御される通話端末を用いるユーザが参加するイベントの開始タイミングを示す開始タイミング情報ならびに終了タイミングを示す終了タイミング情報が記憶されているときに当該開始タイミング情報と終了タイミング情報とを前記送信タイミング情報として読み出して取得することを特徴とする請求項１または２記載の制御情報送信装置である。
【００１１】
請求項３の本発明によれば、イベントの開始タイミングと終了タイミングが到来したときに、回線交換装置に、通話端末識別情報と制御情報が送信されるので、通話端末について回線交換装置が行う制御の内容をイベントの開始タイミングと終了タイミングを境に変えることができる。
【００１２】
請求項４の本発明は、前記情報取得手段は、前記終了タイミングに送信される制御情報として予め記憶されたものを読み出して取得することを特徴とする請求項３記載の制御情報送信装置である。
【００１３】
請求項４の本発明によれば、ユーザに操作される入力端末との対話処理などを行って、終了タイミングに送信される制御情報を逐一取得する必要がなくなる。
【００１４】
請求項５の本発明は、前記情報取得手段は、前記送信タイミングに送信される制御情報として予め記憶された複数の制御情報を読み出して表示させ、該表示されたものの中から選択されたものを取得することを特徴とする請求項１記載の制御情報送信装置である。
【００１５】
請求項５の本発明によれば、ユーザに操作される入力端末との対話処理などを行って、送信タイミングに送信される制御情報を選択することにより制御情報を取得することができる。
【００１６】
請求項６の本発明は、前記情報取得手段は、前記通話端末識別情報と制御情報と送信タイミング情報を、グループに属する複数のユーザに使用される複数の通話端末について取得することを特徴とする請求項１ないし５のいずれかに記載の制御情報送信装置である。  請求項６の本発明によれば、送信タイミングが到来したときに、回線交換装置に、グループに属する複数のユーザに使用される複数の通話端末についての通話端末識別情報と制御情報が送信されるので、回線交換装置が行う制御の内容を、グループに属する複数のユーザに使用される複数の通話端末について、所望のタイミングを境に変えることができる。また、一人のユーザについて取得した通話端末識別情報と制御情報と送信タイミング情報を他のユーザにも用いることで一括処理が可能となる。
【００１７】
請求項７の本発明は、前記取得された通話端末識別情報と制御情報を前記回線交換装置が理解できるコマンド群に変換するコマンド生成手段を備えたことを特徴とする請求項１ないし６のいずれかに記載の制御情報送信装置である。
【００１８】
請求項７の本発明によれば、送信タイミングが到来したときに、回線交換装置に、通話端末識別情報と制御情報が送信され、回線交換装置により理解されるので、取得された通話端末識別情報と制御情報とが回線交換装置により理解できないものであっても、回線交換装置が行う制御の内容を所望のタイミングを境に変えることができる。
【００１９】
請求項８の本発明は、前記情報取得手段は、前記制御情報として、送信タイミング以降において通話端末を鳴動させるか否かを示す鳴動要否情報、送信タイミング以降において鳴動音の種類を変えたいときの変更後の鳴動音を示す鳴動音番号、送信タイミング以降における回線交換装置の制御内容を通話端末に設けられた表示部に表示させるか否かを示す表示要否情報、送信タイミング以降において留守メッセージを送出するか否かを示す留守メッセージ送出要否情報、送信タイミング以降において留守メッセージを送出する場合の留守メッセージの種類を変えたいときの変更後の留守メッセージを示すメッセージ番号、送信タイミング以降において相手の音声を録音するか否かを示す録音要否情報、送信タイミング以降において呼を転送するか否かを示す転送要否情報、送信タイミング以降において相手の音声が録音されたことを他の通話端末に通知するか否かを示す通知要否情報、送信タイミング以降における通知先の端末識別情報と転送先の端末識別情報の一方または両方である端末識別情報の中の１以上を取得することを特徴とする請求項１ないし７のいずれかに記載の制御情報送信装置である。
【００２０】
請求項８の本発明によれば、様々な制御の内容を所望のタイミングを境に変えることができる。
【００２１】
請求項９の本発明は、請求項１ないし８のいずれかに記載の制御情報送信装置と回線交換装置とを備えたことを特徴とする回線交換システムである。
【００２２】
請求項９の本発明によれば、制御情報送信装置と回線交換装置とを備えたシステム構成としたことで、通話端末について制御を行い且つ当該制御の内容を所望のタイミングを境に変えることができる。
【００２３】
請求項１０の本発明は、請求項９記載の回線交換システムにおいて、前記回線交換装置は、通話端末に表示される映像を記憶する映像記憶手段を備えるとともに、前記制御情報送信装置からの制御情報により前記映像が通話端末に表示されるように構成されたことを特徴とする回線交換システムである。
【００２４】
請求項１０の本発明によれば、通話端末に映像を表示させることを含む制御を行い且つ当該制御の内容を所望のタイミングを境に変えることができる。
【００２５】
請求項１１の本発明は、請求項９または１０記載の回線交換システムにおいて、前記回線交換装置に制御される通話端末を使用するユーザが参加するイベントのイベント名と、当該イベントの終了タイミングを示すイベント終了タイミング情報とを用いて、当該通話端末への留守メッセージを生成するように構成されたことを特徴とする回線交換システムである。
【００２６】
請求項１１の本発明によれば、通話端末のユーザが参加するイベントのイベント名とその終了タイミングを含んだ留守メッセージの送出を含む制御を行い且つ当該制御の内容を所望のタイミングを境に変えることができる。
【００２７】
請求項１２の本発明は、請求項１ないし８のいずれかに記載の制御情報送信装置としてコンピュータを機能させることを特徴とするコンピュータプログラムである。
【００２８】
請求項１２の本発明によれば、通話端末について回線交換装置が行う制御の内容を所望のタイミングを境に変えることがコンピュータプログラムにより行える。
【００２９】
請求項１３の本発明は、請求項１２記載のコンピュータプログラムを記録した記録媒体である。
【００３０】
請求項１３の本発明によれば、通話端末について回線交換装置が行う制御の内容を所望のタイミングを境に変えることがコンピュータプログラムを記録した記録媒体により行える。
【発明の効果】
【００３１】
本発明によれば、送信タイミングが到来したときに、回線交換装置に、通話端末識別情報と制御情報が送信されるので、通話端末について回線交換装置が行う制御の内容を所望のタイミングを境に変えることができる。
【発明を実施するための最良の形態】
【００３２】
以下、本発明の実施の形態を図面を参照して説明する。
【００３３】
図１は、本実施の形態に係る回線交換システムのブロック構成図である。
【００３４】
制御情報送信装置１は、回線交換装置２に通信回線を介して接続された通話端末３を制御する制御情報を作成し、この制御情報を回線交換装置２に送信するコンピュータである。回線交換装置２は、制御情報を送受信するための回線を介して制御情報送信装置１と接続されており、制御情報送信装置１から制御情報を送信されたときから、その制御情報を使用するようになっている。
【００３５】
回線交換装置２には、複数の通信回線が収容され、個々の通信回線には１以上の通話端末３（図１では１つのみを示す）が接続されている。
【００３６】
本実施の形態では、音声を変復調して送受信する端末を通話端末３として説明を行うが、通話端末３は、文字（文字コード）を送受信して通話する構成としたパーソナルコンピュータなどでもよい。
【００３７】
１つの通話端末３は１以上の通信回線に接続されるので、当該通信回線のそれぞれが、当該通話端末３に設けられた端末操作キーの中の１以上の端末操作キーのそれぞれに割り当てられ、いずれかの端末操作キーを操作することで、該操作された端末操作キーに割り当てられた通信回線を用いて、例えば発信等できるようになっている。つまり、１つの通話端末３と該通話端末３に接続された１つの通信回線とからなる組ごとに制御が行なわれる。
【００３８】
各通話端末３には該通話端末３を示す識別情報（以下、識別情報をＩＤという）が割り当てられている。なお、ここでは、個々の通話端末３はいつも同一のユーザに用いられ、当該通話端末３を示すＩＤと当該ユーザを示すユーザＩＤとは同一であるので、これ以降は、ユーザＩＤに統一して説明を行う。
【００３９】
各端末操作キーには該端末操作キーを示すキーＩＤが割り当てられ、当該通話端末３に接続された通信回線の１つを示す識別情報として用いられる。
【００４０】
入力端末４は、通話端末３を使用するユーザに、あるいは当該ユーザが属するグループの管理者などのユーザに使用されるものであり、入力端末４と制御情報送信装置１は、例えば同一のローカルエリアネットワーク内に設けられて、互いに情報の送受信ができるようになっている。
【００４１】
制御情報送信装置１は、ユーザ認証とユーザの権限の判定を行うユーザ認証判定部１１と、ユーザのスケジュールを登録するスケジュール登録部１２と、制御情報をユーザごと（通話端末３ごと）に、つまり個別に取得する個別処理部１３と、同一のグループに属する複数のユーザに使用される複数の通話端末３についての制御情報（複数の制御情報）を取得するグループ処理部１４と、取得された制御情報を回線交換装置２が理解できるコマンド群に変換する（コマンド群を生成する）コマンド生成部１５と、コマンド群を記憶しこれを送信すべき送信タイミングで読み出す送信予約部１６と、読み出されたコマンド群を回線交換装置２に送信する送信部１７とを備える。
【００４２】
コマンド生成部１５は、与えられた制御情報をチェックするチェック部１５１を備える。また、送信予約部１６は、制御情報送信装置１の外部記憶装置などに設けられた記憶部１６１と、コマンド群を記憶部１６１に書き込む書き込み部１６２と、書き込まれたコマンド群を読み出す読み出し部１６３と、送信すべき送信タイミングか到来したか否かを判定する判定部１６４とを備える。
【００４３】
回線交換装置２は、回線交換を行う回線交換部２１と、回線交換および他の制御に使用される制御情報が設定され、回線交換用の制御情報を回線交換部２１に与えるとともに他の制御用の制御情報を用いて回線交換以外の制御を行う制御部２２と、制御情報送信装置１からのコマンドを受信する通信インタフェース２３と、通話端末３に送出される複数の留守メッセージ（トーキーともいう）を記憶する留守メッセージ記憶部２４とを備える。
【００４４】
入力端末４は、キーボードやマウスなどの操作部（図示せず）とディスプレイ装置などの表示部（図示せず）を備え、操作部への操作内容に応じた情報を制御情報送信装置１に送信し、また、制御情報送信装置１からの情報を表示部に表示できるようになっている。
【００４５】
[動作]
次に、図２および図３を参照して、本実施の形態における動作を説明する。
【００４６】
図２は、本実施の形態における動作を示すシーケンス図である。図３（ａ）、図３（ｂ）は、本実施の形態で使用される開始タイミングフォーマット、終了タイミングフォーマットをそれぞれ示す図である。開始タイミングフォーマットと終了タイミングフォーマットは、個別処理部１３とグループ処理部１４がそれぞれ予め備えているものであり、適宜タイミングフォーマットと総称する。
【００４７】
図３（ａ）に示すように、開始タイミングフォーマットには、（ａ）ユーザが参加するイベントの開始タイミングを示す開始タイミング情報が書き込まれる。また、（ｂ）この開始タイミング情報が示す開始タイミングに開始されるイベントに参加するユーザに使用される通話端末３に設けられた端末操作キーの１つを示すキーＩＤが書き込まれる。また、（ｃ）当該イベントに参加する当該ユーザを示す第１ユーザＩＤが書き込まれる。また、（ｄ）開始タイミング以降において当該キーＩＤに対応する通話回線に着信があったときに当該通話端末３を鳴動させるか否かを示す鳴動要否情報が書き込まれる。また、（ｅ）開始タイミング以降において鳴動音の種類を変えたいときには変更後の鳴動音を示す鳴動音番号が書き込まれる。また、（ｆ）開始タイミング以降における回線交換装置２の制御内容（着信があったことや発信元がどの通話端末３かといった内容）を当該通話端末３に設けられた表示部（ＬＥＤや液晶パネルなど）に表示させるか否かを示す表示要否情報が書き込まれる。また、（ｇ）開始タイミング以降において当該通話回線に着信があったときに当該通話端末３をオフフックにして予め記憶しておいた留守メッセージを送出するか否かを示す留守メッセージ送出要否情報が書き込まれる。また、（ｈ）開始タイミング以降において留守メッセージを送出する場合の留守メッセージの種類を変えたいときには変更後の留守メッセージを示すメッセージ番号が書き込まれる。また、（ｉ）開始タイミング以降において相手の音声を録音するか否かを示す録音要否情報が書き込まれる。また、（ｊ）開始タイミング以降において呼を転送するか否かを示す転送要否情報が書き込まれる。また、（ｋ）開始タイミング以降において相手の音声が録音されたことを他の通話端末３に通知するか否かを示す通知要否情報が書き込まれる。また、（ｌ）開始タイミング以降における通知先であるユーザのユーザＩＤと転送先のユーザのユーザＩＤの一方または両方である第２ユーザＩＤが書き込まれる。
【００４８】
なお、開始タイミングフォーマットに書き込まれる情報の中で、（ｄ）鳴動要否情報から（ｌ）第２ユーザＩＤまでが、本発明の制御情報に相当するものである。
【００４９】
図３（ｂ）に示すように、終了タイミングフォーマットには、（ａ）ユーザが参加するイベントの終了タイミングを示す終了タイミング情報が書き込まれる。また、（ｂ）開始タイミングフォーマットに書き込まれるキーＩＤと同じキーＩＤ、つまり当該終了タイミング情報が示す終了タイミングに終了するイベントに参加するユーザに使用される通話端末３に設けられた端末操作キーの１つを示すキーＩＤが書き込まれる。また、（ｃ）開始タイミングフォーマットに書き込まれる第１ユーザＩＤと同一の第１ユーザＩＤ、つまり当該イベントに参加するユーザを示す第１ユーザＩＤが書き込まれる。また、（ｄ）終了タイミング以降において当該キーＩＤに対応する通話回線に着信があったときに当該通話端末３を鳴動させるか否かを示す鳴動要否情報が書き込まれる。また、（ｅ）終了タイミング以降において鳴動音の種類を変えたいときには変更後の鳴動音を示す鳴動音番号が書き込まれる。また、（ｆ）終了タイミング以降における回線交換装置２の制御内容（着信があったことや発信元がどの通話端末３かといった内容）を当該通話端末３に設けられた表示部（ＬＥＤや液晶パネルなど）に表示させるか否かを示す表示要否情報が書き込まれる。また、（ｇ）終了タイミング以降において当該通話回線に着信ががあったときに当該通話端末３をオフフックにして予め記憶しておいた留守メッセージを送出するか否かを示す留守メッセージ送出要否情報が書き込まれる。また、（ｈ）終了タイミング以降において留守メッセージを送出する場合の留守メッセージの種類を変えたいときには変更後の留守メッセージを示すメッセージ番号が書き込まれる。また、（ｉ）終了タイミング以降において相手の音声を録音するか否かを示す録音要否情報が書き込まれる。また、（ｊ）終了タイミング以降において呼を転送するか否かを示す転送要否情報が書き込まれる。また、（ｋ）終了タイミング以降において相手の音声が録音されたことを他の通話端末３に通知するか否かを示す通知要否情報が書き込まれる。また、（ｌ）開始タイミング以降における通知先であるユーザのユーザＩＤと転送先のユーザのユーザＩＤの一方または両方である第２ユーザＩＤが書き込まれる。
【００５０】
なお、終了タイミングフォーマットに書き込まれる情報の中で、（ｄ）鳴動要否情報から（ｌ）第２ユーザＩＤまでが、本発明の制御情報に相当するものである。
【００５１】
さて、図２において、入力端末４の操作部が、あるユーザに操作されて、入力端末４から当該ユーザを示すユーザＩＤ（パスワードなどを含んでもよい）がユーザ認証判定部１１に入力される（Ｓ１）と、ユーザ認証判定部１１は、当該ユーザＩＤと、予め制御情報送信装置１の外部記憶装置などに記憶しておいたユーザリスト（個別の制御情報すなわちユーザ自身に関わる制御情報だけを設定できるユーザのユーザＩＤと、同一のグループに属する複数のユーザに関わる制御情報を一括で設定できる管理者などのユーザのユーザＩＤとを区分したリスト）内のユーザＩＤとを照合し（Ｓ３：個別／グループ）、どのユーザＩＤとも一致しなかった場合は再入力を促す。一方、個別に制御情報を設定できるユーザのユーザＩＤと一致した場合は、ユーザ認証判定部１１は、ステップＳ１で入力されたユーザＩＤをスケジュール登録部１２に与え、一方、管理者などのユーザのユーザＩＤと一致した場合は、ユーザ認証判定部１１は、予め当該ユーザＩＤに対応づけて記憶しておいた当該複数のユーザのユーザＩＤをスケジュール登録部１２に与える。
【００５２】
スケジュール登録部１２は、ステップＳ１で入力されたユーザＩＤを与えられた場合は、例えば入力端末４との対話処理により、当該ユーザＩＤにより示されるユーザが参加するイベント（例えば、自己学習）についてイベント情報（イベント名と、イベントの開始タイミングを示す開始タイミング情報と、イベントの終了タイミングを示す終了タイミング情報とを含む。開始タイミング情報と終了タイミング情報は適宜タイミング情報と総称する）を入力端末４から得て、当該イベント情報をユーザＩＤに対応づけて、例えば制御情報送信装置１の外部記憶装置などに記憶させる（Ｓ５：イベント登録）とともにこれらを個別処理部１３へと与える。
【００５３】
対話処理とは、制御情報送信装置１から入力端末４の表示部に、情報入力を促すような内容を表示させ、入力端末４が、その操作部への操作により、ユーザの所望する情報を制御情報送信装置１に送信する処理をいい、以降は対話処理が行われることとして説明を行う。
【００５４】
スケジュール登録部１２は、複数のユーザのユーザＩＤを与えられた場合は、入力端末４との対話処理により、当該複数のユーザＩＤが示す複数のユーザが一緒に参加するイベント（例えば、会議）についてのイベント情報（イベント名、開始タイミング情報および終了タイミング情報とを含む）を入力端末４から得て、当該イベント情報を当該複数のユーザＩＤに対応づけて、例えば制御情報送信装置１の外部記憶装置などに記憶させる（Ｓ５：イベント登録）とともにこれらをグループ処理部１４へと与える。
【００５５】
個別処理部１３は、先ず、与えられた開始タイミング情報を開始タイミングフォーマットに書き込むとともに、与えられたユーザＩＤを第１ユーザＩＤとして開始タイミングフォーマットに書き込む。また、与えられた終了タイミング情報を終了タイミングフォーマットに書き込むとともに、与えられたユーザＩＤを第１ユーザＩＤとして終了タイミングフォーマットに書き込む。
【００５６】
次に、個別処理部１３は、入力端末４との対話処理により、開始タイミングフォーマットと終了タイミングフォーマットに書き込まれるキーＩＤを入力端末４から指定される（Ｓ７：キー指定）と、このキーＩＤを開始タイミングフォーマットと終了タイミングフォーマットに書き込む。
【００５７】
次に、個別処理部１３は、入力端末４との対話処理により、開始タイミングフォーマットに書き込まれる鳴動要否情報を入力端末４から指定される（Ｓ９：鳴動）と、当該鳴動要否情報を開始タイミングフォーマットに書き込む。
【００５８】
次に、個別処理部１３は、開始タイミングフォーマットに、鳴動させることを示す鳴動要否情報を書き込んだ場合（Ｓ９：する）は、入力端末４との対話処理を行い、開始タイミングフォーマットに書き込まれる鳴動音番号を入力端末４から指定される（Ｓ１１：鳴動音指定）と、当該鳴動音番号を開始タイミングフォーマットに書き込む。
【００５９】
個別処理部１３は、開始タイミングフォーマットに、鳴動させないことを示す鳴動要否情報を書き込んだ場合（Ｓ９：しない）、または、鳴動音番号を開始タイミングフォーマットに書き込んだ場合は、入力端末４との対話処理により、開始タイミングフォーマットに書き込まれる表示要否情報を入力端末４から指定される（Ｓ１３：表示）と、当該表示要否情報を開始タイミングフォーマットに書き込む。
【００６０】
次に、個別処理部１３は、入力端末４との対話処理により、開始タイミングフォーマットに書き込まれる留守メッセージ送出要否情報を入力端末４から指定される（Ｓ１５：留守）と、当該留守メッセージ送出要否情報を開始タイミングフォーマットに書き込む。
【００６１】
次に、個別処理部１３は、開始タイミングフォーマットに、留守メッセージを送出することを示す留守メッセージ送出要否情報を書き込んだ場合（Ｓ１５：する）は、入力端末４との対話処理を行い、開始タイミングフォーマットに書き込まれる録音要否情報を入力端末４から指定される（Ｓ１７：録音）と、当該録音要否情報を開始タイミングフォーマットに書き込む。
【００６２】
個別処理部１３は、開始タイミングフォーマットに、録音することを示す録音要否情報を書き込んだ場合（Ｓ１７：する）は、入力端末４との対話処理を行い、開始タイミングフォーマットに書き込まれるメッセージ番号を入力端末４から指定される（Ｓ１９：メッセージ指定）と、当該メッセージ番号を開始タイミングフォーマットに書き込む。
【００６３】
個別処理部１３は、開始タイミングフォーマットに、録音しないことを示す録音要否情報を書き込んだ場合（Ｓ１７：しない）、または、開始タイミングフォーマットにメッセージ番号を書き込んだ場合は、入力端末４との対話処理を行い、開始タイミングフォーマットに書き込まれる通知要否情報を入力端末４から指定される（Ｓ２１：通知）と、当該通知要否情報を開始タイミングフォーマットに書き込む。
【００６４】
個別処理部１３は、開始タイミングフォーマットに、通知することを示す通知要否情報を書き込んだ場合（Ｓ２１：する）、または、開始タイミングフォーマットに、留守メッセージを送出しないことを示す留守メッセージ送出要否情報を書き込んだ場合（Ｓ１５：しない）は、入力端末４との対話処理を行い、開始タイミングフォーマットに書き込まれる転送要否情報を入力端末４から指定される（Ｓ２３：転送）と、当該転送要否情報を開始タイミングフォーマットに書き込む。
【００６５】
個別処理部１３は、留守メッセージを送出しないことを示す留守メッセージ送出要否情報を書き込み（Ｓ１５：しない）、その後、開始タイミングフォーマットに、転送することを示す転送要否情報を書き込んだ場合（Ｓ２３：する）、または、開始タイミングフォーマットに、通知することを示す通知要否情報を書き込み（Ｓ２１：する）、その後、開始タイミングフォーマットに転送要否情報を書き込んだ場合は、入力端末４との対話処理を行い、開始タイミングフォーマットに書き込まれる第２ユーザＩＤ、すなわち通知先であるユーザのユーザＩＤまたは転送先のユーザのユーザＩＤまたはこれらの両方であるユーザＩＤを入力端末４から指定される（Ｓ２５：転送先／通知先）と、当該第２ユーザＩＤを開始タイミングフォーマットに書き込む。ここでは、転送と通知の両方を行う場合は、転送先と通知先を共通にすることで、入力端末４の操作回数の低減を図っている。
【００６６】
個別処理部１３は、開始タイミングフォーマットに、通知しないことを示す通知要否情報を書き込んだ場合（Ｓ２１：しない）、または、開始タイミングフォーマットに、留守メッセージを送出しないことを示す留守メッセージ送出要否情報を書き込み（Ｓ１５：しない）、その後に、転送しないことを示す転送要否情報を書き込んだ場合（Ｓ２３：しない）、または、開始タイミングフォーマットに第２ユーザＩＤを書き込んだ場合は、開始タイミングフォーマットと終了タイミングフォーマットの内容をコマンド生成部１５へ与える。
【００６７】
なお、終了タイミングフォーマットについても同様の処理を行えばよいが、以下のように処理することが好ましい。
【００６８】
つまり、図３（ｂ）の（ｄ）鳴動要否情報以降の情報を既定情報として、予めキーＩＤおよび第１ユーザＩＤに対応づけて、予め制御情報送信装置１の外部記憶装置などに書き込んでおき、終了タイミングフォーマットには、終了タイミング情報、キーＩＤおよび第１ユーザＩＤの書き込みまでを行い、当該書き込んだキーＩＤおよび第１ユーザＩＤに対応する既定情報を読み出して当該終了タイミングフォーマットに書き込む。
【００６９】
これにより、終了タイミングフォーマットに情報を書き込む際の入力端末４の操作回数が減少するので、入力端末４を操作するユーザの負担を軽減することができる。
【００７０】
また、開始タイミングフォーマットと終了タイミングフォーマットのいずれについても、以下のように処理することができる。
【００７１】
つまり、（ｄ）鳴動要否情報以降の情報を既定情報として、予めキーＩＤおよび第１ユーザＩＤに対応づけて、複数パターンの既定情報を、予め制御情報送信装置１の外部記憶装置などに書き込んでおき、タイミングフォーマットには、タイミング情報、キーＩＤおよび第１ユーザＩＤの書き込みまでを行い、当該書き込んだキーＩＤおよび第１ユーザＩＤに対応する複数パターンの既定情報を読み出して、入力端末４に表示させ、当該表示された既定情報のいずれかが選択された場合に、当該選択された既定情報を当該タイミングフォーマットに書き込む。
【００７２】
これにより、タイミングフォーマットに情報を書き込む際の入力端末４の操作が選択操作だけでよいので、入力端末４を操作するユーザの負担を軽減することができる。
【００７３】
さて、グループ処理部１４は、該グループ処理部１４にスケジュール登録部１２から与えられた複数のユーザＩＤのそれぞれについて、上記説明した個別処理部１３の処理を行う。なお、グループ処理部１４は、これに先立って、入力端末４との対話処理を行い、複数のユーザＩＤの中の１以上のユーザＩＤを入力端末４から指定された場合に（Ｓ６：個別指定）、当該指定されたユーザＩＤのそれぞれについて、上記説明した処理を行ってもよい。また、グループ処理部１４は、複数のユーザＩＤについての処理を順次に行ってもよいし、あるいは、最初の処理によって書き込まれたタイミングフォーマットの内容を他のタイミングフォーマットに複写して、つまり一括処理してもよい。
【００７４】
次に、コマンド生成部１５のチェック部１５１は、開始タイミングフォーマットと終了タイミングフォーマットの内容に矛盾が有るか否かを判定し（Ｓ３１：内容判定）、矛盾があった場合（Ｓ３１：エラー）は、ステップＳ５に制御を戻し、一方、矛盾がなかった場合（Ｓ３１：ＯＫ）は、コマンド生成部１５は、個別処理部１３またはグループ処理部１４から与えられた１つのタイミングフォーマットの内容からタイミング情報を除いた内容を、回線交換装置２が理解できるコマンド群に変換し（Ｓ３３：コマンド変換）、変換後のコマンド群と当該タイミング情報の組を、与えられたタイミングフォーマットのそれぞれについて生成し、生成された各組を送信予約部１６に与える。
【００７５】
送信予約部１６の書き込み部１６２は、コマンド生成部１５から与えられた各組を送信予約部１６の記憶部１６１に書き込む（Ｓ３５：コマンド送信予約）。
【００７６】
送信予約部１６の読み出し部１６３は、例えば、１分毎といった一定の周期で、送信予約部１６の記憶部１６１から１つの組（タイミング情報とコマンド群）を読み出し、送信予約部１６の判定部１６４は、当該タイミング情報が示す送信タイミングが到来したか否かを判定し、当該送信タイミングが到来したと判定したときは、当該コマンド群を送信部１７に与える。また、書き込み部１６２が書き込んだ他の組についても同様な処理が行われる。
【００７７】
送信部１７は、送信予約部１６からコマンド群を与えられたときは、当該コマンド群を回線交換装置２に送信する（Ｓ３７：コマンド送信）。
【００７８】
回線交換装置２の通信インタフェース２３が、送信部１７からのコマンド群を受信すると、当該コマンド群が、直ちに、回線交換装置２内で使用可能な制御情報に翻訳され制御部２２に設定される。具体的には、コマンド群に含まれたユーザＩＤとキーＩＤの組に対応づけて、当該コマンド群に含まれた制御情報、すなわち（ｄ）鳴動要否情報以降の情報が設定され、この制御情報が、かかる設定タイミング以降において、回線交換部２１や制御部２２により制御に使用される。
【００７９】
以上の処理により、先の一例でいえば、自己学習を行うユーザに使用される通話端末３について回線交換装置２が行う制御の内容を、当該自己学習の開始タイミングを境に変えることができ、また当該制御の内容を当該自己学習の終了タイミングを境に変えることができる。
【００８０】
具体的には、例えば、自己学習の間は通話端末３に接続された１つの通信回線に着信があっても通話端末３を鳴動させず、一方、自己学習の後は鳴動するようにできる。また、自己学習の間は所望の通話端末３への転送が行われ、自己学習の後は転送が行われないようにできる。また、回線交換装置２が通話端末３と通信回線の組ごとに制御を行うので、他の通信回線に着信があったときは、自己学習のときであっても、通話端末３を鳴動させ、転送が行われないようにできる。
【００８１】
また、他の例でいえば、会議に参加する複数のユーザに使用される複数の通話端末３について回線交換装置２が通話端末３と通信回線の組ごとに行う制御の内容を、当該会議の開始タイミングを境に変えることができ、また当該制御の内容を当該会議の終了タイミングを境に変えることができる。
【００８２】
なお、通話端末３が映像（動画と静止画の少なくとも一方）を表示できるパーソナルコンピュータなどであり、回線交換装置２が当該映像を記憶する映像記憶部を備える場合は、例えば、留守、離席、休暇、会議等の、イベントの内容に応じた映像を当該映像記憶部に記憶させておき、例えば、Ｓ１１で指定された鳴動音番号をタイミングフォーマットに書き込んだときに、同様に映像の種類を示す映像番号もタイミングフォーマットに書き込むことで、イベントの内容に応じた映像が表示されるようにしてもよい。
【００８３】
また、タイミングフォーマットにイベント名を書き込むことで、当該イベント名が回線交換装置２に送信されるので、回線交換装置２は、例えば、「ただいま（イベント名）により、離席しております。（終了タイミング）に終了予定となっております。（録音することを示す録音要否情報が送信された場合は続けて）メッセージをどうぞ。（転送することを示す転送要否情報が送信された場合は続けて）転送します。しばらくお待ち下さい。」というような留守メッセージを生成して送出するようにしてもよい。なお、制御情報送信装置１が当該留守メッセージを生成して回線交換装置２に送信し、これを回線交換装置２が留守メッセージ記憶部２４に書き込んでもよい。
【００８４】
また、上記のようなコマンド群を、例えば通話端末３の利用開始時に回線交換装置２に送信することで、回線交換装置２を初期設定してもよい。
【００８５】
また、既存のスケジューラにより、予めイベント情報がユーザＩＤに対応づけられて、制御情報送信装置１の外部記憶装置などに書き込まれている場合は、個別処理部１３とグループ処理部１４がユーザ認証判定部１１からのユーザＩＤに対応づけられ書き込まれたイベント情報を読み出して、上記のように処理を行うことで、既存のスケジューラにより書き込まれたイベント情報を利用して回線交換装置２を設定することができるようになる。
【００８６】
また、タイミングフォーマットに書き込まれる鳴動要否情報以降の情報の一部を用いないようにしてもよい。例えば、回線交換装置２が転送機能を有しないものであれば、転送要否情報は不要となるからである。
【００８７】
また、入力端末４が有する操作部と表示部を制御情報送信装置１に設けて、制御情報送信装置１を操作し、そして表示内容を見ることにより、上記処理が行われるようにしてもよい。
【００８８】
また、送信予約部１６のタイミング情報とコマンド群の組を変更あるいは消去する際には、上記のユーザ認証とユーザの権限の判定を行い、これにより、変更あるいは消去を指定したユーザによって書き込まれたタイミング情報とコマンド群の組だけが変更あるいは消去されるようにするのが好ましい。
【００８９】
また、１つの通話端末３が１以上通信回線に接続されるのではなく、１つの通話端末３が１つの通信回線に接続される場合は、端末操作キーの識別が不要なので、キーＩＤを用いないでもよい。
【００９０】
以上説明したように、本実施の形態の制御情報送信装置１によれば、回線交換装置２に制御される通話端末を示す通話端末識別情報（本実施の形態ではユーザＩＤである。以下同様に括弧内に示す。）と当該通話端末についての制御に使用される制御情報（図３（ａ）または図３（ｂ）の鳴動要否情報以降の情報）と該制御情報の送信タイミング（イベントの開始タイミング，イベントの終了タイミング）を示す送信タイミング情報（開始タイミング情報，終了タイミング情報）とを取得する情報取得手段（個別処理部１３、グループ処理部１４）と、当該取得された通話端末識別情報と制御情報と送信タイミング情報とが対応づけて（変換後のコマンド群とタイミング情報の組として）書き込まれる記憶手段（１６１）、当該取得された通話端末識別情報と制御情報と送信タイミング情報とを対応づけて（当該組を）記憶手段に書き込む書き込み手段（１６２）、当該書き込まれた通話端末識別情報と制御情報と送信タイミング情報（当該組を）を読み出す読み出し手段（１６３）、および当該読み出された送信タイミング情報が示す送信タイミングが到来したか否かを判定する判定手段（１６４）を備える送信予約手段（１６）と、当該送信タイミングが到来したと判定されたときに、記憶手段（１６１）から読み出された通話端末識別情報と制御情報を回線交換装置に送信する送信手段（１７）とを備えることで、送信タイミングが到来したときに、回線交換装置に、通話端末識別情報と制御情報が送信されるので、通話端末について回線交換装置が行う制御の内容を所望のタイミングを境に変えることができる。
【００９１】
また、通話端末識別情報に対し、該通話端末識別情報が示す通話端末に接続された１つの通信回線を示す通信回線識別情報（キーＩＤ）を付随させるので、回線交換装置が通話端末と通信回線の組ごとに行う制御の内容を所望のタイミングを境に変えることができる。
【００９２】
また、情報取得手段は、ユーザが参加するイベントの開始タイミングを示す開始タイミング情報ならびに終了タイミングを示す終了タイミング情報が記憶されているときに当該開始タイミング情報と終了タイミング情報とを送信タイミング情報として読み出して取得するので、イベントの開始タイミングと終了タイミングが到来したときに、回線交換装置に、通話端末識別情報と制御情報が送信され、よって、通話端末について回線交換装置が行う制御の内容をイベントの開始タイミングと終了タイミングを境に変えることができる。
【００９３】
また、情報取得手段は、終了タイミングに回線交換装置に送信される制御情報として予め記憶されたものを読み出して取得するので、ユーザに操作される入力端末との対話処理などを行って、終了タイミングに送信される制御情報を逐一取得する必要がなくなる。
【００９４】
また、情報取得手段は、送信タイミングに送信される制御情報として予め記憶された複数の制御情報を読み出して表示させ、該表示されたものの中から選択されたものを取得するので、ユーザに操作される入力端末との対話処理などを行って、送信タイミングに送信される制御情報を選択することにより制御情報を取得することができる。
【００９５】
また、情報取得手段は、通話端末識別情報と制御情報と送信タイミング情報を、グループに属する複数のユーザに使用される複数の通話端末について取得するので、回線交換装置が行う制御の内容を、グループに属する複数のユーザに使用される複数の通話端末について、所望のタイミングを境に変えることができる。また、一人のユーザについて取得した通話端末識別情報と制御情報と送信タイミング情報を他のユーザにも用いることで一括処理が可能となる。
【００９６】
また、通話端末識別情報と制御情報を回線交換装置が理解できるコマンド群に変換するコマンド生成手段（１５）を備えたことで、回線交換装置に、通話端末識別情報と制御情報が送信され、回線交換装置により理解されるので、取得された通話端末識別情報と制御情報とが回線交換装置により理解できないものであっても、回線交換装置が行う制御の内容を所望のタイミングを境に変えることができる。
【００９７】
また、情報取得手段は、制御情報として、送信タイミング以降において通話端末を鳴動させるか否かを示す鳴動要否情報、送信タイミング以降において鳴動音の種類を変えたいときの変更後の鳴動音を示す鳴動音番号、送信タイミング以降における回線交換装置の制御内容を通話端末に設けられた表示部に表示させるか否かを示す表示要否情報、送信タイミング以降において留守メッセージを送出するか否かを示す留守メッセージ送出要否情報、送信タイミング以降において留守メッセージを送出する場合の留守メッセージの種類を変えたいときの変更後の留守メッセージを示すメッセージ番号、送信タイミング以降において相手の音声を録音するか否かを示す録音要否情報、送信タイミング以降において呼を転送するか否かを示す転送要否情報、送信タイミング以降において相手の音声が録音されたことを他の通話端末に通知するか否かを示す通知要否情報、送信タイミング以降における通知先の端末識別情報と転送先の端末識別情報の一方または両方である端末識別情報の中の１以上を取得するので、様々な制御の内容を所望のタイミングを境に変えることができる。
【００９８】
また、上記の制御情報送信装置と回線交換装置とを備えたシステム構成としたことにより、通話端末について制御を行い且つ当該制御の内容を所望のタイミングを境に変えることができる。
【００９９】
また、回線交換装置は、通話端末に表示される映像を記憶する映像記憶手段（映像記憶部）を備えるとともに、制御情報送信装置からの制御情報により映像が通話端末に表示されるような回線交換システムとしたので、通話端末に映像を表示させることを含む制御を行い且つ当該制御の内容を所望のタイミングを境に変えることができる。
【０１００】
また、回線交換装置に制御される通話端末を使用するユーザが参加するイベントのイベント名と、当該イベントの終了タイミングを示すイベント終了タイミング情報とを用いて、当該通話端末への留守メッセージを生成するような回線交換システムとしたので、通話端末のユーザが参加するイベントのイベント名とその終了タイミングを含んだ留守メッセージの送出を含む制御を行い且つ当該制御の内容を所望のタイミングを境に変えることができる。
【０１０１】
また、一般的なコンピュータを制御情報送信装置１として機能させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【０１０２】
【図１】本実施の形態に係る回線交換システムのブロック構成図である。
【図２】本実施の形態に係る回線交換システムの動作を示すシーケンス図である。
【図３】図３（ａ）は、本実施の形態で使用される開始タイミングフォーマットを示す図であり、図３（ｂ）は、本実施の形態で使用される終了タイミングフォーマットを示す図である。
【符号の説明】
【０１０３】
１…制御情報送信装置
２…回線交換装置
３…通話端末
４…入力端末
１１…ユーザ認証判定部
１２…スケジュール登録部
１３…個別処理部
１４…グループ処理部
１５…コマンド生成部
１６…送信予約部
１７…送信部
２１…回線交換部
２２…制御部
２３…通信インタフェース
２４…留守メッセージ記憶部
１５１…チェック部
１６１…記憶部
１６２…書き込み部
１６３…読み出し部
１６４…判定部
【図１】
2006100943.tif 000003
【図２】
2006100943.tif 000004
【図３】
2006100943.tif 000005